(57)【要約】      （修正有）【課題】患者及び至急取扱貨物の搬送手段を確保するための装置を提供する。【解決手段】患者及び至急取扱貨物の搬送手段を誘導及び／または締結するための少なくとも２つの平行で細長い締結要素及び／または誘導要素１１を伴うフレーム１０を備え、締結要素及び／または誘導要素１１の横方向に向いている少なくとも２つの締結外形及び／または誘導外形１３は、平行で離間している締結要素及び／または誘導要素１１の下に設けられ、少なくとも２つの締結外形及び／または誘導外形１３のそれぞれに、少なくとも２つの離間する減衰要素１４が配置され、減衰要素１４によって、装置１は下に置くとすぐに発生する揺れ及び振動を減らすまたは抑制するために支持される。【選択図】図１
0003232792.tif 000002
【実用新案登録請求の範囲】
【請求項１】
患者及び至急取扱貨物の搬送手段を確保するための装置（１）であって、前記患者及び前記至急取扱貨物の搬送手段を誘導及び／または締結するための少なくとも２つの平行で細長い締結要素及び／または誘導要素（１１）を伴うフレーム（１０）を備え、
前記締結要素及び／または誘導要素（１１）の横方向に向いている少なくとも２つの締結外形及び／または誘導外形（１３）は、平行で離間している前記締結要素及び／または誘導要素（１１）の下に設けられ、前記少なくとも２つの締結外形及び／または誘導外形（１３）のそれぞれに、少なくとも２つの離間する減衰要素（１４）が配置され、前記減衰要素（１４）によって、前記装置（１）は下に置くとすぐに発生する揺れ及び振動を減らすまたは抑制するために支持されることを特徴とする、装置（１）。
【請求項２】
前記締結要素及び／または誘導要素（１１）はガイドレールとして設計されることを特徴とする、請求項１に記載の装置（１）。
【請求項３】
前記締結外形及び／または誘導外形（１３）は、前記フレーム（１０）または前記締結及び／もしくは誘導要素（１１）の上に変位可能に搭載されることを特徴とする、請求項１または２に記載の装置（１）。
【請求項４】
前記締結外形及び／または誘導外形（１３）に、支持構造（１５）が配置され、または前記支持構造（１５）が配置でき、前記支持構造（１５）のそれぞれに、少なくとも１つの減衰要素（１４）が取り付けられることを特徴とする、請求項１〜３の１項に記載の装置（１）。
【請求項５】
前記支持構造（１５）は締結手段（１６）のための少なくとも１つのシート（１５０）を備え、前記締結手段（１６）によって、減衰要素（１４）は前記支持構造（１５）に可逆的に取り付けできることを特徴とする、請求項４に記載の装置（１）。
【請求項６】
前記支持構造（１５）上の減衰要素（１４）は、手動で及びツールを使用しないで、外形ロック接続及び／または摩擦接続によって分解または搭載できることを特徴とする、請求項４に記載の装置（１）。
【請求項７】
前記支持構造（１５）は、弓状またはＵ字形の支持ブラケット（１５１）によって前記締結外形及び／または誘導外形（１３）に可逆的に締結される一方、対応するシート（１５２）による締結手段（１５１０）を伴う前記支持ブラケット（１５１）は前記支持構造（１５）から下向きに突出し、前記支持構造（１５）にねじ接続によって固定されることを特徴とする、請求項４または５に記載の装置（１）。
【請求項８】
前記支持ブラケット（１５１）は、前記締結要素及び／または誘導要素（１１）の縦軸に沿って縦方向に整列され、前記締結要素及び／または誘導要素（１１）または前記フレーム（１０）のいずれかの上に保持レールまたはガイドレール（１１０）が設けられ、前記支持ブラケット（１５１）が前記締結要素及び／または誘導要素（１１）の前記縦軸に沿って変位可能に受容及び／または搭載されることを特徴とする、請求項６に記載の装置（１）。
【請求項９】
前記支持構造（１５）は、前記支持ブラケット（１５１）によって、前記締結外形ならびに／または誘導外形（１３）の上に及び前記締結要素ならびに／または誘導要素（１１）の上に設計及び配置され、これにより、前記シート（１５０）は、上方から自由にアクセス可能であり、前記フレーム（１０）及び／または前記締結要素ならびに／もしくは誘導要素（１１）の隣で横方向に配置されることを特徴とする、請求項４〜７の１項に記載の装置（１）。
【請求項１０】
前記締結外形及び／または誘導外形（１３）の各端に、前記フレーム（１０）から横方向にまたは前記締結要素及び／または誘導要素（１１）の上に突出するハンドルまたはブラケット（１３０）があることを特徴とする、請求項１〜９の１項に記載の装置（１）。
【請求項１１】
前記支持構造（１５）は、前記ハンドルまたはブラケット（１３０）のエリア内に配置されることを特徴とする、請求項９に記載の装置（１）。
【請求項１２】
少なくとも１つのハンドルまたはブラケット（１２）は、前記フレーム（１０）の両端または前記締結要素及び／もしくは誘導要素（１１）の両端に設けられることを特徴とする、請求項１〜１１の１項に記載の装置（１）。
【請求項１３】
前記ハンドルまたはブラケット（１２，１３０）は、引き出すことができるように、前記フレーム（１０）上に、前記締結要素及び／もしくは誘導要素（１１）の上に、または前記締結外形及び／もしくは誘導外形（１３）の上に搭載されることを特徴とする、請求項９または１１に記載の装置（１）。
【請求項１４】
前記ガイドレールはＬ型またはＴ型であることを特徴とする、請求項２に記載の装置（１）。
【請求項１５】
前記減衰要素（１４）は、天然ゴムまたは合成ゴム等の弾性材料、半軟質材料または合成材料、プラスチック等から形成されることを特徴とする、請求項１〜１４の１項に記載の装置（１）。
【請求項１６】
前記減衰要素（１４）は金属バネまたはプラスチックバネとして設計されることを特徴とする、請求項１〜１５の１項に記載の装置（１）。
【請求項１７】
前記減衰要素（１４）はオイルダンパーまたはガスダンパーとして設計されることを特徴とする、請求項１〜１６の１項に記載の装置（１）。
【考案の詳細な説明】
【技術分野】
【０００１】
本考案は、請求項１に記載の患者及び至急取扱貨物の搬送手段を確保するための装置に関する。
【背景技術】
【０００２】
先行技術から既に知られている患者及び至急取扱貨物を搬送するための様々な手段は、通常、保管デバイスまたは保管エリアを含み、その保管デバイスまたは保管エリアを使用して、その搬送するための手段を下に置くことができ、その手段は、動物または他の至急取扱貨物を搬送するための、例えば、担架、ベッド、患者用のアイソレータまたはケージ、ボックス、スーツケース等であり得る一方、車両は、自動車、鉄道車両、飛行機、ヘリコプター、ボート等のいずれかであり得る。さらに、ルーラー等の係る手段は、また、保持手段またはハンドルまたはブラケットを含み、それらを用いて、手段を持ち上げできる。
【０００３】
患者及び至急取扱貨物を搬送するための既存の手段の不利点は、特に既知の手段の振動ダンパーの直接配置が通常困難であるため、患者及び至急取扱貨物が、通常、搬送中に搬送車両の振動を受けるとき完全に減衰されないことである。既知の手段の場合、その使用時に単純で曲がりやすい保持手段（ハンドル）がほとんど存在しない。
【考案の概要】
【考案が解決しようとする課題】
【０００４】
本考案は前述の不利点をなくす装置を作成する目的に基づいており、振動及び衝撃を効果的に減衰し、さらに、使用を容易にする。
【０００５】
本考案に従って、上記の目的は、特徴付けられる特徴と併せて請求項１によって達成される。本考案に従った装置の利点をもたらす改良及び開発は従属請求項に記述されている。
【課題を解決するための手段】
【０００６】
本考案に従った装置は、患者及び至急取扱貨物を搬送するための手段を誘導及び／または締結するための少なくとも２つの平行で細長い締結要素及び／または誘導要素を伴うフレームを備える。
【０００７】
本考案に従って、上述の種類の装置は、締結要素及び／または誘導要素の横方向に向いている少なくとも２つの締結外形及び／または誘導外形は、平行で離間している締結要素及び／または誘導要素の下に設けられ、少なくとも２つの締結外形及び／または誘導外形のそれぞれに、少なくとも２つの離間する減衰要素が配置され、減衰要素によって、例えば、搬送車両において、本装置は下に置くとすぐに発生する揺れ及び振動を減らすまたは抑制するために支持される。
【０００８】
本考案に従った装置のさらなる目標、特性、利点及び使用可能性は、図面に示される本考案の以下の実施形態から明らかになる。説明される及び／または示される全ての特性は、個々の請求項の組み合わせまたはその相互参照にかかわらず、個々にまたは任意の組み合わせで本考案の主題を形成する。
【図面の簡単な説明】
【０００９】
【図１】装置の斜視図を示す図である。
【図２】装置の拡大セクションを示す図である。
【図３】支持構造の拡大図を示す図である。
【図４】減衰構造の拡大図を示す図である。
【考案を実施するための形態】
【００１０】
図１から分かることができるように、締結要素及び／または誘導要素１１は手段が変位可能に搭載できるガイドレールとして設計され、手段は、また、例えば、ガイドレールで回るように搭載されるローラを含むことが可能である。
【００１１】
本考案の特に利点をもたらす実施形態では、締結外形及び／または誘導外形１３は、フレーム１０または締結及び／もしくは誘導要素１１の上に変位可能に搭載され、特に、既存の地中（地面のいずれかの障害物）に対して高度な柔軟性をもたらす。
【００１２】
さらに、支持構造１５は、締結外形及び／または誘導外形１３に配置される、または配置できることで利点をもたらし、締結外形及び／または誘導外形１３のそれぞれに、少なくとも１つの減衰要素１４が締結され、支持構造１５はフランジ状の設計であるのが好ましい。
【００１３】
図１に示される装置１のさらなる実施形態では、支持構造１５は締結手段１６のための少なくとも１つのシート１５０を備えるのが好ましく、締結手段１６によって、減衰要素１４は支持構造１５に可逆的に取り付けできる。
【００１４】
この場合、支持構造１５上の減衰要素１４は、手動で及びツールを使用しないで、フォームフィッティング及び／またはフォースフィッティングの締結手段によって、分解または組み立てできるのが好ましい。全ての考えられるクランプ、ツイストロック及び圧力ロック、または、例えば、取り外しが容易な接続が考えられる。
【００１５】
支持構造１５は、ブラケット状またはＵ字形の支持ブラケット１５１によって締結外形及び／または誘導外形１３に可逆的に締結されることで利点をもたらし、支持ブラケット１５１は締結手段１５１０（雄ねじを伴う）を伴い、締結手段１５１０は、支持構造１５上の対応するシート１５２を通って下向きに突出し、シート１５２でねじ接続（ナット）によって支持構造１５に固定される。
【００１６】
支持ブラケット１５１は、締結要素及び／または誘導要素１１の縦軸に沿って縦方向に整列されることで利点をもたらし、保持レールまたはガイドレール１１０（好ましくは、レール状）は締結要素及び／または誘導要素１１の上にまたはフレーム１０の上に設けられ、２つの側方脚部を支持する支持ブラケット１５１またはブラケット状またはＵ字形の支持ブラケット１５１の上側ブラケット部分は、締結要素及び／または誘導要素１１の縦軸に沿って変位可能に受容及び／または搭載される。
【００１７】
さらに、支持構造１５が、支持ブラケット１５１によって、締結外形ならびに／または誘導外形１３の上に及び締結要素ならびに／または誘導要素１１の上に設計及び配置される場合に利点をもたらし、これにより、シート１５０は、フレーム１０及び／または締結要素ならびに／もしくは誘導要素１１の隣で横方向にアクセス可能である上部に露出し、そこに配置される。これは、フレーム１０またはフレーム１０の個々の構成要素を分解する必要がなく、減衰要素１４がいつでも問題なく容易にアクセス可能であり交換できる利点をもたらす。
【００１８】
装置１のさらに利点をもたらす実施形態では、ハンドル及び／またはブラケット１３０は締結外形及び／または誘導外形１３の各端に設けられ、フレーム１０から横方向にまたは締結要素及び／または誘導要素１１の上に突出し、ここで、支持構造１５はハンドルまたはブラケット１３０の付近に配置されることで特に利点をもたらす。
【００１９】
本考案のさらに利点をもたらす実施形態では、少なくとも１つのハンドルまたはブラケット１２は、また、フレーム１０の２端または締結要素及び／または誘導要素１１の２端に設けられる。
【００２０】
当該ハンドルまたはブラケット１２，１３０は、装置１の人間工学的に、単純な、及び／または曲がりやすいハンドルを達成するのを確実にするために引き出すことができるように、フレーム１０上に、締結要素及び／もしくは誘導要素１１の上に、または締結外形及び／もしくは誘導外形１３の上に搭載できる。
【００２１】
減衰要素１４は、例えば、天然ゴムまたは合成ゴム等の弾性材料、半軟質材料または合成材料、プラスチック等から作られるのが好ましい。さらなる実施形態では、また、減衰要素１４、例えば、金属バネもしくはプラスチックバネまたはオイルダンパーもしくはガスダンパー等として設計できる。
【００２２】
本考案に従った装置１の設計は、上記に記述した好ましい実施形態に限定されない。むしろ、根本的に異なる設計でさらに示される解決策を利用する多くの設計変更が考えられる。
【符号の説明】
【００２３】
１  装置
１０  フレーム
１１  締結要素／誘導要素
１２  フレーム上のハンドルまたはブラケット
１３  締結外形／誘導外形
１４  減衰要素
１５  支持構造
１６  締結手段
１１０  保持レール／ガイドレール
１３０  搭載外形／誘導外形上のハンドルまたはブラケット
１５０  支持構造上のファスナ用シート
１５１  支持ブラケット
１５２  支持構造上のねじ込み搭載用シート
１５１０  支持ブラケットの締結手段
【図１】
0003232792.tif 000003
【図２】
0003232792.tif 000004
【図３】
0003232792.tif 000005
【図４】
0003232792.tif 000006
【手続補正書】
【提出日】令和3年4月15日(2021.4.15)
【手続補正１】
【補正対象書類名】実用新案登録請求の範囲
【補正対象項目名】全文
【補正方法】変更
【補正の内容】
【実用新案登録請求の範囲】
【請求項１】
患者及び至急取扱貨物の搬送手段を確保するための装置（１）であって、前記患者及び前記至急取扱貨物の搬送手段を誘導及び／または締結するための少なくとも２つの平行で細長い締結要素及び／または誘導要素（１１）を伴うフレーム（１０）を備え、
前記締結要素及び／または誘導要素（１１）の横方向に向いている少なくとも２つの締結外形及び／または誘導外形（１３）は、平行で離間している前記締結要素及び／または誘導要素（１１）の下に設けられ、前記少なくとも２つの締結外形及び／または誘導外形（１３）のそれぞれに、少なくとも２つの離間する減衰要素（１４）が配置され、前記減衰要素（１４）によって、前記装置（１）は下に置くとすぐに発生する揺れ及び振動を減らすまたは抑制するために支持されることを特徴とする、装置（１）。
【請求項２】
前記締結要素及び／または誘導要素（１１）はガイドレールとして設計されることを特徴とする、請求項１に記載の装置（１）。
【請求項３】
前記締結外形及び／または誘導外形（１３）は、前記フレーム（１０）または前記締結及び／もしくは誘導要素（１１）の上に変位可能に搭載されることを特徴とする、請求項１または２に記載の装置（１）。
【請求項４】
前記締結外形及び／または誘導外形（１３）に、支持構造（１５）が配置され、または前記支持構造（１５）が配置でき、前記支持構造（１５）のそれぞれに、少なくとも１つの減衰要素（１４）が取り付けられることを特徴とする、請求項１〜３の１項に記載の装置（１）。
【請求項５】
前記支持構造（１５）は締結手段（１６）のための少なくとも１つのシート（１５０）を備え、前記締結手段（１６）によって、減衰要素（１４）は前記支持構造（１５）に可逆的に取り付けできることを特徴とする、請求項４に記載の装置（１）。
【請求項６】
前記支持構造（１５）上の減衰要素（１４）は、手動で及びツールを使用しないで、外形ロック接続及び／または摩擦接続によって分解または搭載できることを特徴とする、請求項４に記載の装置（１）。
【請求項７】
前記支持構造（１５）は、弓状またはＵ字形の支持ブラケット（１５１）によって前記締結外形及び／または誘導外形（１３）に可逆的に締結される一方、対応するシート（１５２）による締結手段（１５１０）を伴う前記支持ブラケット（１５１）は前記支持構造（１５）から下向きに突出し、前記支持構造（１５）にねじ接続によって固定されることを特徴とする、請求項５に記載の装置（１）。
【請求項８】
前記支持ブラケット（１５１）は、前記締結要素及び／または誘導要素（１１）の縦軸に沿って縦方向に整列され、前記締結要素及び／または誘導要素（１１）または前記フレーム（１０）のいずれかの上に保持レールまたはガイドレール（１１０）が設けられ、前記支持ブラケット（１５１）が前記締結要素及び／または誘導要素（１１）の前記縦軸に沿って変位可能に受容及び／または搭載されることを特徴とする、請求項７に記載の装置（１）。
【請求項９】
前記支持構造（１５）は、前記支持ブラケット（１５１）によって、前記締結外形ならびに／または誘導外形（１３）の上に及び前記締結要素ならびに／または誘導要素（１１）の上に設計及び配置され、これにより、前記シート（１５０）は、上方から自由にアクセス可能であり、前記フレーム（１０）及び／または前記締結要素ならびに／もしくは誘導要素（１１）の隣で横方向に配置されることを特徴とする、請求項７に記載の装置（１）。
【請求項１０】
前記締結外形及び／または誘導外形（１３）の各端に、前記フレーム（１０）から横方向にまたは前記締結要素及び／または誘導要素（１１）の上に突出するハンドルまたはブラケット（１３０）があることを特徴とする、請求項４〜９の１項に記載の装置（１）。
【請求項１１】
前記支持構造（１５）は、前記ハンドルまたはブラケット（１３０）のエリア内に配置されることを特徴とする、請求項１０に記載の装置（１）。
【請求項１２】
少なくとも１つのハンドルまたはブラケット（１２）は、前記フレーム（１０）の両端または前記締結要素及び／もしくは誘導要素（１１）の両端に設けられることを特徴とする、請求項１〜１１の１項に記載の装置（１）。
【請求項１３】
前記ハンドルまたはブラケット（１２，１３０）は、引き出すことができるように、前記フレーム（１０）上に、前記締結要素及び／もしくは誘導要素（１１）の上に、または前記締結外形及び／もしくは誘導外形（１３）の上に搭載されることを特徴とする、請求項１１または１２に記載の装置（１）。
【請求項１４】
前記ガイドレールはＬ型またはＴ型であることを特徴とする、請求項２に記載の装置（１）。
【請求項１５】
前記減衰要素（１４）は、天然ゴムまたは合成ゴムの弾性材料、半軟質材料または合成材料、プラスチックから形成されることを特徴とする、請求項１〜１４の１項に記載の装置（１）。
【請求項１６】
前記減衰要素（１４）は金属バネまたはプラスチックバネとして設計されることを特徴とする、請求項１〜１５の１項に記載の装置（１）。
【請求項１７】
前記減衰要素（１４）はオイルダンパーまたはガスダンパーとして設計されることを特徴とする、請求項１〜１６の１項に記載の装置（１）。